【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
洗浄体（１２，１２０）を備えた手持形洗い具（１０）であって、洗浄体（１２，１２０）が少なくとも周囲の一部分で、平面（１４）に形成されているエッジ（１３）によって取り囲まれており、かつ洗浄体（１２，１２０）が前記平面（１４）の一方の側で球状に形成されており、さらに洗浄体（１２，１２０）がエッジ（１３）の両方の側で扁平な球状に形成されており、かつ該両側で扁平な球状の洗浄体（１２，１２０）の周囲が少なくともそのエッジ（１３）の領域において長円形である形式のものにおいて、洗浄体（１２）および／または連結体（１８）が、自己加脂性の表面を備えた防汚性のポリウレタンフォームから成っており、かつ／または洗浄体（１２）および／または連結体（１８）に防汚性の被覆層が設けられていることを特徴とする手持形洗い具。
【請求項２】
洗浄体（１２）に柄（１１）が取り付けられており、洗浄体（１２）が柄（１１）に関して、エッジ（１３）により形成された平面（１４）において非対称的に張り出している洗浄突出部（１５）を有している、請求項１記載の手持形洗い具、特に便所用掃除道具。
【請求項３】
洗浄体（１２）の洗浄突出部（１５）が柄（１１）と共に、鋭角的な角度（α）を成している、請求項２記載の手持形洗い具。
【請求項４】
洗浄体（１２０）に柄（１１０）が事実上一直線に、エッジ（１３）によって形成された平面（１４）に沿って取り付けられている、請求項１から３までのいずれか１項記載の手持形洗い具、特に身体洗い具。
【請求項５】
洗浄体（１２）が扁平な水滴形に形成されており、水滴形状尖端が洗浄突出部（１５）を形成している、請求項１から４までのいずれか１項記載の手持形洗い具。
【請求項６】
エッジ（１３）が環状に延在するように形成されており、エッジ（１３）により形成された平面（１４）の領域において完全に長円形の洗浄体（１２，１２０）を有している、請求項１から５までのいずれか１項記載の手持形洗い具。
【請求項７】
エッジ（１３）が洗浄体（１２，１２０）の、鋭利に交会する湾曲面（１６，１７）によって形成されている、請求項１から６までのいずれか１項記載の手持形洗い具。
【請求項８】
洗浄体（１２）が柄（１１）のために、柄方向に延びるこぶ形または瓶首形の連結体（１８）を有している、請求項１から７までのいずれか１項記載の手持形洗い具。
【請求項９】
連結体（１８）が少なくとも、洗浄体（１２）の、環状に延在するエッジ（１３）の近傍において球状に形成されており、かつ／または洗浄体（１２）および連結体（１８）が一体的に形成されている、請求項１から８までのいずれか１項記載の手持形洗い具。
【請求項１０】
連結体（１８）が、洗浄体（１２）内にまで突入したアダプタピン（１９）を、柄連結端部（１９′）を除いて取り囲んでいるか、または柄（１１）を直接に固定する切欠き（３０）を有している、請求項１から９までのいずれか１項記載の手持形洗い具。
【請求項１１】
柄（１１，１１０）が、長手方向で洗浄体（１２，１２０）内に配置された切欠き（３０）内に、外から操作可能な係止装置（３１）により固定されている、請求項１から１０までのいずれか１項記載の手持形洗い具。
【請求項１２】
洗浄体（１２）の湾曲面（１６，１７）および／または連結体（１８）の球状面（２０）に、互いに平行で連続的でかつフラットな先細リブ（２１）が設けられている、請求項１から１１までのいずれか１項記載の手持形洗い具。
【請求項１３】
先細リブ（２１）が連結体（１８）に、その球状面（２０）から、その柄側の端部（１８′）にまでわたって形成されている、請求項１から１２までのいずれか１項記載の手持形洗い具。
【請求項１４】
フラットな先細リブ（２１）が、円形区分に従った横断面を有するように形成されており、かつ／または平坦化されたリブ（４００）と交互に設けられている、請求項１２または１３記載の手持形洗い具。
【請求項１５】
洗浄体（１２）の先細リブ（２１）が、洗浄体の周囲を環状に延在するエッジ（１３）に対して距離を置いて終わっている、請求項１から１４までのいずれか１項記載の手持形洗い具。
【請求項１６】
先細リブ（２１）が、洗浄体（１２）の長手方向軸線（１２′）に対して斜めに配置されている、請求項１２から１５までのいずれか１項記載の手持形洗い具。
【請求項１７】
先細リブ（２１）のリブエッジ（２１′，２１″）が波形に形成されており、かつ隣接する波形のリブエッジ（２１′，２１″）が、長手方向で位相ズレを有して配置されている、請求項１から１６までのいずれか１項記載の手持形洗い具。
【請求項１８】
２つのリブ（２１）間にブラシ帯（３２）および／またはフォーム帯（３３）が配置されている、請求項１から１７までのいずれか１項記載の手持形洗い具。
【請求項１９】
一方の球状の湾曲面（１７）が先細リブ（２１）で占められており、他方の球状の湾曲面（１６）がエッジ（１３）の近傍において環状に、グリップ用いぼ状突起（３４）で占められている、請求項１から１８までのいずれか１項記載の手持形洗い具。
【請求項２０】
洗浄体（１２０）に、調整可能なタイマ（３５）および／または温度計（３６）が設けられている、請求項１から１９までのいずれか１項記載の手持形洗い具。
【請求項２１】
洗浄体（１２，１２０）が少なくとも一方の湾曲面（１７）および／または球状面に、小面積の突起（３７〜３７Ｖ）を有しており、該突起（３７〜３７Ｖ）が前記の面にわたって均等にかつ／または列を成して分布しており、かつ外側に角張った縁を備えた輪郭を有して形成されている、請求項１から２０までのいずれか１項記載の手持形洗い具。
【請求項２２】
洗浄体（１２，１２０）から離間した柄端部（３８）に、洗浄体（１２，１２０）の湾曲面（１７）の構造に相当する構造を備えたグリップ（３９）が設けられている、請求項１から２１までのいずれか１項記載の手持形洗い具。
【請求項２３】
手持形洗い具が洗浄体（１２，１２０）により支持容器（５０）内に支持されて保管されている、請求項１から２２までのいずれか１項記載の手持形洗い具。
【請求項２４】
支持容器（５０）に支持縁部（５１）が設けられており、支持縁部（５１）が鉛直方向に対して所定の角度を有して傾けて配置されており、この所定の角度が、柄（１１）と洗浄体（１２）の洗浄突出部（１５）との間で形成された鋭角的な角度（α）に相当している、請求項２３記載の手持形洗い具。
【請求項２５】
支持容器（５０）が円筒形の外壁（５２）を有しており、該外壁（５２）の、上側の縁部（５３）から、外壁（５２）の内部に位置する支持縁部（５１）にかけて、テーパを成した内壁（５４）が少なくとも部分的に形成されている、請求項２３または２４記載の手持形洗い具。
【請求項２６】
支持縁部（５１）が環状に、一貫した載置面すなわちシート面として形成されており、該載置面が、載置された洗浄体（１２，１２０）の下側を通気する少なくとも１つの溝（５５）により中断されている、請求項２３から２５までのいずれか１項記載の手持形洗い具。
【請求項２７】
支持容器（５０）が滴受け皿（５６）を有しており、該滴受け皿（５６）が支持縁部（５１）の内周部（５１′）に連続的に接続されており、かつ／または滴受け皿（５６）および／または内壁（５４）が溝（５５）の領域で貫通孔なしに溝形成されている、請求項２３から２６までのいずれか１項記載の手持形洗い具。
【請求項２８】
支持容器（５０）が一貫して同じ壁厚さを備えて、プラスチックまたはガラスまたは金属から製作されている、請求項２３から２７までのいずれか１項記載の手持形洗い具。
【請求項２９】
支持縁部（５１）が、下側の湾曲面（１７）の、エッジ（１３）に隣接する区分に対応するように傾けられているかつ／または形成されている、請求項２３から２８までのいずれか１項記載の手持形洗い具。